【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
酸素感受性成分、酸素不活性成分および反応促進剤を含有し、該酸素感受性成分が第一区分化ゾーン中に存在し、該酸素不活性成分が第二区分化ゾーン中に存在し、該第一区分化ゾーンおよび該第二区分化ゾーンが並んだ配置で配列されており、どちらのゾーンも他方のゾーンをペレットの面で囲っていない、樹脂ペレット。
【請求項２】
該酸素不活性成分がポリエチレンテレフタレートまたはポリエチレンテレフタレートコポリマーを含有する、請求項１に記載の樹脂ペレット。
【請求項３】
該反応促進剤が遷移金属である、請求項２に記載の樹脂ペレット。
【請求項４】
該遷移金属が遷移金属塩および／または遷移金属酸化物の形態である、請求項３に記載の樹脂ペレット。
【請求項５】
該遷移金属がコバルト、鉄、マンガン、およびニッケルからなる群から選択される、請求項３に記載の樹脂ペレット。
【請求項６】
該遷移金属がコバルトである、請求項３に記載の樹脂ペレット。
【請求項７】
該酸素感受性成分が酸化性有機化合物を含有する、請求項２に記載の樹脂ペレット。
【請求項８】
該反応促進剤が遷移金属である、請求項７に記載の樹脂ペレット。
【請求項９】
該遷移金属が遷移金属塩および／または遷移金属酸化物の形態である、請求項８に記載の樹脂ペレット。
【請求項１０】
該遷移金属がコバルト、鉄、マンガン、およびニッケルからなる群から選択される、請求項８に記載の樹脂ペレット。
【請求項１１】
該遷移金属がコバルトである、請求項８に記載の樹脂ペレット。
【請求項１２】
該酸素感受性成分がポリブタジエン、官能化ポリブタジエン、非水素化ポリブタジエンオリゴマー、ポリプロピレンオキシドオリゴマーおよびメチルペンダント芳香族化合物からなる群から選択される少なくとも一種類の化合物を含む、請求項７に記載の樹脂ペレット。
【請求項１３】
該反応促進剤が遷移金属である、請求項７に記載の樹脂ペレット。
【請求項１４】
該遷移金属が遷移金属塩および／または遷移金属酸化物の形態である、請求項１３に記載の樹脂ペレット。
【請求項１５】
該遷移金属がコバルト、鉄、マンガン、およびニッケルからなる群から選択される、請求項１３に記載の樹脂ペレット。
【請求項１６】
該遷移金属がコバルトである、請求項１３に記載の樹脂ペレット。
【請求項１７】
該酸素感受性成分がポリブタジエンおよび官能化ポリブタジエンからなる群から選択される少なくとも一種類の化合物を含む、請求項２に記載の樹脂ペレット。
【請求項１８】
該反応促進剤が遷移金属である、請求項１７に記載の樹脂ペレット。
【請求項１９】
該遷移金属が遷移金属塩および／または遷移金属酸化物の形態である、請求項１８に記載の樹脂ペレット。
【請求項２０】
該遷移金属がコバルト、鉄、マンガン、およびニッケルからなる群から選択される、請求項１８に記載の樹脂ペレット。
【請求項２１】
該遷移金属がコバルトである、請求項１８に記載の樹脂ペレット。
【請求項２２】
該酸素感受性成分が、それ自身と反応したアミノカプロン酸、アジピン酸、イソフタル酸、テレフタル酸、１，４−シクロヘキサンジカルボン酸、レソルシノールジカルボン酸、またはナフタレンジカルボン酸からなる群から選択されるジカルボン酸残基、またはそれらの混合物とｍ−キシリレンジアミン、ｐ−キシリレンジアミン、ヘキサメチレンジアミン、エチレンジアミン、または１，４−シクロヘキサンジメチルアミンからなる群から選択されるジアミン残基、またはそれらの混合物との反応生成物からなる群から選択されるポリアミドを含有する、請求項２に記載の樹脂ペレット。
【請求項２３】
該反応促進剤が遷移金属である、請求項２２に記載の樹脂ペレット。
【請求項２４】
該遷移金属が遷移金属塩および／または遷移金属酸化物の形態である、請求項２３に記載の樹脂ペレット。
【請求項２５】
該遷移金属がコバルト、鉄、マンガン、およびニッケルからなる群から選択される、請求項２３に記載の樹脂ペレット。
【請求項２６】
該遷移金属がコバルトである、請求項２３に記載の樹脂ペレット。
【請求項２７】
該酸素感受性成分がＭＸＤ−６ナイロン、ナイロン６、ナイロン６６、またはそれらの混合物を含有する、請求項２に記載の樹脂ペレット。
【請求項２８】
該反応促進剤が遷移金属である、請求項２７に記載の樹脂ペレット。
【請求項２９】
該遷移金属が遷移金属塩および／または遷移金属酸化物の形態である、請求項２８に記載の樹脂ペレット。
【請求項３０】
該遷移金属がコバルト、鉄、マンガン、およびニッケルからなる群から選択される、請求項２８に記載の樹脂ペレット。
【請求項３１】
該遷移金属がコバルトである、請求項２８に記載の樹脂ペレット。
【請求項３２】
該酸素感受性成分が主に、テレフタレート、オルトフタレート、およびイソフタレートからなる群から選択される一種類以上のフタレートを含有する重縮合物セグメントであって、更にα−ヒドロω−ヒドロキシポリ（オキシテトラメチレン）、１，４−ブタンジオール、ポリエチレングリコールおよびエチレングリコールからなる群から選択される一種類以上のグリコールおよびポリアミドを含有する重縮合物と、官能化ポリブタジエン、非水素化ポリブタジエンオリゴマー、ポリプロピレンオキシドオリゴマーおよびメチルペンダント芳香族化合物からなる群から選択される少量の酸素感受性部分セグメントとの反応生成物である、請求項２に記載の樹脂ペレット。
【請求項３３】
該反応促進剤が遷移金属である、請求項３２に記載の樹脂ペレット。
【請求項３４】
該遷移金属が遷移金属塩および／または遷移金属酸化物の形態である、請求項３３に記載の樹脂ペレット。
【請求項３５】
該遷移金属がコバルトである、請求項３４に記載の樹脂ペレット。
【請求項３６】
請求項１に記載の樹脂ペレットを４０℃から該ペレットが液体になる温度の少なくとも１℃下の温度までの範囲内の所定の温度に加熱する工程を包含する、樹脂ペレットの熱処理方法。
【請求項３７】
該熱処理がペレットを７０℃から該ペレットが液体になる温度の少なくとも５℃下の温度までの範囲内の所定の温度に曝す工程を包含する、請求項３６に記載の方法。
【請求項３８】
該樹脂ペレットを該温度範囲内で第一成分または第二成分の結晶化度を少なくとも５パーセント増加させるのに充分な時間熱処理する、請求項３６に記載の方法。
【請求項３９】
該酸素不活性成分が第一熱可塑性樹脂であり、該酸素感受性成分が第二熱可塑性樹脂であり、該ペレットを該温度範囲において充分な時間熱処理して第一成分の結晶化度の増加と該酸素不活性成分の結晶化度の増加との合計を少なくとも５パーセントにする、請求項３６に記載の方法。
【請求項４０】
該樹脂ペレットが熱処理の前に水分を有し、該樹脂ペレットを該温度範囲において充分な時間熱処理して熱処理の前に存在する水分の少なくとも半分を除去する、請求項３９に記載の方法。
【請求項４１】
少なくとも一種類の熱可塑性樹脂が熱処理の前に少なくとも０．２ｄｌ／ｇのＩ．Ｖ．を有し、該樹脂ペレットを該温度範囲において充分な時間熱処理して熱処理前に少なくとも０．２ｄｌ／ｇのＩ．Ｖ．を有する該熱可塑性樹脂のＩ．Ｖ．を少なくとも０．１ｄｌ／ｇ増加させる、請求項３９に記載の方法。
【請求項４２】
該第一熱可塑性樹脂がポリエチレンテレフタレートおよび結晶性コポリエチレンテレフタレートからなる群から選択されるポリエステルである、請求項３９に記載の熱処理。
【請求項４３】
該熱処理が該ペレットを７０℃からポリエステルの結晶融点より５℃低い温度までの温度に曝す工程を包含する、請求項４２に記載の方法。
【請求項４４】
該樹脂ペレットを該温度範囲において第一成分または第二成分の結晶化度を少なくとも５パーセント増加させるのに充分な時間熱処理する、請求項４２に記載の方法。
【請求項４５】
該酸素感受性成分が、アミノカプロン酸繰り返し単位および、Ａがアジピン酸、イソフタル酸、テレフタル酸、１，４−シクロヘキサンジカルボン酸、レソルシノールジカルボン酸、またはナフタレンジカルボン酸からなる群から選択されるジカルボン酸残基、またはそれらの混合物であり、Ｄがｍ−キシリレンジアミン、ｐ−キシリレンジアミン、ヘキサメチレンジアミン、エチレンジアミン、または１，４−シクロヘキサンジメチルアミンからなる群から選択されるジアミン残基、またはそれらの混合物であるＡ−Ｄの繰り返し単位からなる群から選択される残基を含有する、請求項４２に記載の方法。
【請求項４６】
該熱処理が該ペレットを７０℃から該ポリエステルの結晶融点より５℃低い温度までの温度に曝す工程を包含する、請求項４５に記載の方法。
【請求項４７】
該樹脂ペレットを該温度範囲において第一成分または第二成分の結晶化度を少なくとも５パーセント増加させるのに充分な時間熱処理する、請求項４５に記載の方法。
【請求項４８】
該樹脂ペレットが熱処理の前に水分を有し、該樹脂ペレットを該温度範囲において充分な時間熱処理して熱処理の前に存在する水分の少なくとも半分を除去する、請求項４５に記載の方法。
【請求項４９】
第一または第二の熱可塑性樹脂の少なくとも一種類が少なくとも０．２ｄｌ／ｇのＩ．Ｖ．を熱処理の前に有し、該樹脂ペレットを該温度範囲において充分な時間熱処理して熱処理の前に少なくとも０．２ｄｌ／ｇのＩ．Ｖ．を有する成分のＩ．Ｖ．を少なくとも０．１ｄｌ／ｇ増加させる、請求項４５に記載の方法。
【請求項５０】
該酸素感受性成分がＭＸＤ−６ナイロン、ナイロン６、ナイロン６６、またはそれらの混合物を含有する、請求項４２に記載の方法。
【請求項５１】
該熱処理が該ペレットを７０℃から該ポリエステルの結晶融点より５℃低い温度までの温度に曝す工程を包含する、請求項５０に記載の方法。
【請求項５２】
該樹脂ペレットを該温度範囲において第一成分または第二成分の結晶化度を少なくとも５パーセント増加させるのに充分な時間熱処理する、請求項５０に記載の方法。
【請求項５３】
該ペレットを該温度範囲において充分な時間熱処理して第一熱可塑性樹脂の結晶化度の増加と第二熱可塑性樹脂の結晶化度の増加との合計が少なくとも５パーセントになるようにする、請求項５０に記載の方法。
【請求項５４】
該樹脂ペレットが熱処理の前に水分を有し、該樹脂ペレットを該温度範囲において充分な時間熱処理して熱処理の前に存在する水分の少なくとも半分を除去する、請求項５０に記載の方法。
【請求項５５】
該第一または第二の熱可塑性樹脂の少なくとも一種類が熱処理の前に少なくとも０．２ｄｌ／ｇのＩ．Ｖ．を有し、該樹脂ペレットを該温度範囲において充分な時間熱処理して熱処理の前に少なくとも０．２ｄｌ／ｇのＩ．Ｖ．を有する成分のＩ．Ｖ．を少なくとも０．１ｄｌ／ｇ増加させる、請求項５０に記載の方法。
【請求項５６】
該酸素感受性成分がポリブタジエン、官能化ポリブタジエン、非水素化ポリブタジエンオリゴマー、ポリプロピレンオキシドオリゴマーおよびメチルペンダント芳香族化合物からなる群から選択される少なくとも一種類の化合物を含有する、請求項４２に記載の方法。
【請求項５７】
該熱処理が該ペレットを７０℃から該ポリエステルの結晶融点より５℃低い温度までの温度に曝す工程を包含する、請求項５６に記載の方法。
【請求項５８】
該樹脂ペレットを該温度範囲において該第一成分または第二成分の結晶化度を少なくとも５パーセント増加させるのに充分な時間熱処理する、請求項５６に記載の方法。
【請求項５９】
該ペレットを該温度範囲において十分な時間熱処理して該第一熱可塑性樹脂の結晶化度の増加と該第二熱可塑性樹脂の結晶化度の増加の合計が少なくとも５パーセントになるようにする、請求項５６に記載の方法。
【請求項６０】
該樹脂ペレットが熱処理の前に水分を有し、該樹脂ペレットを該温度範囲において充分な時間熱処理して熱処理の前に存在する水分の少なくとも半分を除去する、請求項５６に記載の方法。
【請求項６１】
該第一または第二熱可塑性樹脂の少なくとも一種類が熱処理の前に少なくとも０．２ｄｌ／ｇのＩ．Ｖ．を有し、該樹脂ペレットを該温度範囲において充分な時間熱処理して熱処理の前に少なくとも０．２ｄｌ／ｇのＩ．Ｖ．を有する成分のＩ．Ｖ．を少なくとも０．１ｄｌ／ｇ増加させる、請求項５６に記載の方法。
【請求項６２】
該酸素感受性成分がポリブタジエンおよび官能性ポリブタジエンからなる群から選択される少なくとも一種類の化合物を含む、請求項３６に記載の方法。
【請求項６３】
該熱処理が該ペレットを７０℃から該ポリエステルの結晶融点より５℃低い温度までの温度に曝す工程を包含する、請求項４２に記載の方法。
【請求項６４】
該樹脂ペレットを該温度範囲において該第一成分または第二成分の結晶化度を少なくとも５パーセント増加させるのに充分な時間熱処理する、請求項４２に記載の方法。
【請求項６５】
該ペレットを該温度範囲において充分な時間熱処理して第一熱可塑性樹脂の結晶化度の増加と第二熱可塑性樹脂の結晶化度の増加の合計を少なくとも５パーセントにする、請求項４２に記載の方法。
【請求項６６】
該樹脂ペレットが熱処理の前に水分を有し、該樹脂ペレットを該温度範囲において充分な時間熱処理して熱処理の前に存在する水分の少なくとも半分を除去する、請求項４２に記載の方法。
【請求項６７】
該第一または第二熱可塑性樹脂の少なくとも一種類が熱処理の前に少なくとも０．２ｄｌ／ｇのＩ．Ｖ．を有し、該樹脂ペレットを該温度範囲において充分な時間熱処理して熱処理の前に少なくとも０．２ｄｌ／ｇのＩ．Ｖ．を有する成分のＩ．Ｖ．を少なくとも０．１ｄｌ／ｇ増加させる、請求項４２に記載の方法。